(57)【要約】      （修正有）【課題】大気中の二酸化炭素の増大で地球の温暖化が進み異常気候の原因となっているため、地球の温暖化を防止する手段を提供する。【解決手段】空気中の二酸化炭素を分離し、加圧冷却して液化後固体化してドライアイスとし、地球の両極の海や、冷却を必要とする陸地に散布して地球全体の温度上昇を防止する。【選択図】図１
2008143768.tif 000002
【特許請求の範囲】
【請求項１】
大気中の二酸化炭素を使用してドライアイスを作りこれを南北両極の海に浮かせ、又は気温を低下させる必要のある場所に置き、ドライアイスの昇華熱で海水又は気温を低下させてるシステム。
【発明の詳細な説明】
【発明の詳細な説明】
【技術分野】
【０００１】本発明は大気中の二酸化炭素を低減させるシステムに関するものである。
【背景技術】
【０００２】大気中の二酸化炭素が増加して温室効果で地球の温暖化が問題になっているが、二酸化炭素をタンクに詰め、地中深く埋蔵する手段が採られる程度である。
【発明が解決しようとする課題】
【０００３】本発明はこの欠点を取り除くものである。
【発明が解決するための手段】
【発明が解決するための手段】
【０００４】大気中の二酸化炭素を使用し、ドライアイスを作り地球の南北両極の海や冷却を必要とする場所に散布、設置し温度を下げ、地球全体の温暖化を防止しようとするものである。
【発明を実施するための最良の形態】
【０００５】以下に本発明の形態について説明する。
（イ）図−１は本発明のシステム図である。
（ロ）大気中の二酸化炭素を分離器（１）で分離する。
（ハ）分離して得られた二酸化炭素を加圧冷却して液体にする。
（ニ）水を蒸発させる。
（ホ）この時の潜熱で冷却固体化する。
（ヘ）これによりドライアイスが得られる。
（ト）こうして得られたドライアイスを南北両極の海中に散布してその昇華熱（１３７Ｃａｌ／ｇで海水温の低下を図る。
（チ）同様に陸地においても冷却を必要とする場所に散布する。
【発明の効果】
【０００６】地球の温暖化を防止できる。
【図面の簡単な説明】
【図１】図−１はシステム図である。１ＣＯ２分離器  ２加圧器  ３冷却器
【図１】
2008143768.tif 000003
【手続補正書】
【提出日】平成19年2月16日(2007.2.16)
【手続補正１】
【補正対象書類名】明細書
【補正対象項目名】全文
【補正方法】変更
【補正の内容】
【発明の詳細な説明】
【特許請求の範囲】
【請求項１】
大気中の二酸化炭素を使用してドライアイスを作りこれを南北両極の海に浮かせ、又は気温を低下させる必要のある場所に置き、ドライアイスの昇華熱で海水又は気温を低下させてるシステム。
【発明の詳細な説明】
【技術分野】
【０００１】本発明は大気中の二酸化炭素を低減させるシステムに関するものである。
【背景技術】
【０００２】大気中の二酸化炭素が増加して温室効果で地球の温暖化が問題になっているが、二酸化炭素をタンクに詰め、地中深く埋蔵する手段が採られる程度である。
【発明が解決しようとする課題】
【０００３】本発明はこの欠点を取り除くものである。
【発明が解決するための手段】
【発明が解決するための手段】
【０００４】大気中の二酸化炭素を使用し、ドライアイスを作り地球の南北両極の海や冷却を必要とする場所に散布、設置し温度を下げ、地球全体の温暖化を防止しようとするものである。
【発明を実施するための最良の形態】
【０００５】以下に本発明の形態について説明する。
（イ）図−１は本発明のシステム図である。
（ロ）図−２は空気中から二酸化炭素を取り出す容器の図である。
（ハ）（１）は空気を入れる容器である。二酸化炭素は比重が１．５４と重いため底に貯まる。
（ニ）（２）は貯まった空気中の二酸化炭素を（４）の取り出し口から外部に取り出すためのファンである。
（ホ）大気中の二酸化炭素を分離器（１）で分離する。
（ヘ）分離して得られた二酸化炭素を（５）の加圧器で加圧し、
（ト）（６）の冷却器で冷却して液体にする。
（チ）水を蒸発させる。
（リ）この時の潜熱で冷却固体化する。
（ヌ）これによりドライアイスが得られる。
（ル）こうして得られたドライアイスを南北両極の海中に散布してその昇華熱（１３７Ｃａｌ／ｇで海水温の低下を図る。
（ヲ）同様に陸地においても冷却を必要とする場所に散布する。
【発明の効果】
【０００６】地球の温暖化を防止できる。
【図面の簡単な説明】図−１はシステム図である。
１ＣＯ２分離容器
２ファン
３コック
４取り出し口
５加圧器
６冷却器
【手続補正２】
【補正対象書類名】図面
【補正対象項目名】図１
【補正方法】変更
【補正の内容】
【図１】
2008143768.tif 000004
【手続補正３】
【補正対象書類名】図面
【補正対象項目名】図２
【補正方法】追加
【補正の内容】
【図２】
2008143768.tif 000005
【手続補正書】
【提出日】平成19年9月14日(2007.9.14)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【発明の詳細な説明】
【技術分野】
【０００１】本発明は大気中の二酸化炭素を低減させるシステムに関するものである。
【背景技術】
【０００２】大気中の二酸化炭素が増加して温室効果で地球の温暖化が問題になっているが、二酸化炭素をタンクに詰め、地中深く埋蔵する手段が採られる程度であり、又は二酸化炭素の排出を抑える程度である。
【発明が解決しようとする課題】
【０００３】本発明はこれらの欠点を取り除くものである。
【発明が解決するための手段】
【０００４】大気中の二酸化炭素を使用し、ドライアイスを作り地球の南北両極の海や冷却を必要とする場所に散布、設置し温度を下げ、地球全体の温暖化を防止しようとするものである。
【発明を実施するための最良の形態】
【０００５】以下に本発明の形態について説明する。
（イ）図−１は本発明のシステム図である。
（ロ）図−２は空気中から二酸化炭素を取り出す容器の図である。
（ハ）（１）は空気を入れる容器である。二酸化炭素は比重が１．５４と重いため底に貯まる。
（ニ）（２）は貯まった空気中の二酸化炭素を（４）の取り出し口から外部に取り出すためのファンである。
（ホ）大気中の二酸化炭素を分離器（１）で分離する。
（ヘ）分離して得られた二酸化炭素を（５）の加圧器で加圧し、
（ト）（６）の冷却器で冷却して液体にする。
（チ）水を蒸発させる。
（リ）この時の潜熱で冷却固体化する。
（ヌ）これによりドライアイスが得られる。
（ル）こうして得られたドライアイスを南北両極の海中に散布してその昇華熱（１３７Ｃａｌ／ｇで海水温の低下を図る。
（ヲ）同様に陸地においても冷却を必要とする場所に散布する。
【発明の効果】
【０００６】地球の温暖化を防止できる。
【図面の簡単な説明】
【０００７】
【図１】図−１はシステム図である。
【図２】図−２はＣＯ２分離容器である。
【符号の説明】
【０００８】１ＣＯ２分離容器
２ファン
３コック
４取り出し口
５加圧器
６冷却器
【手続補正２】
【補正対象書類名】手続補正書
【補正対象項目名】手続補正４
【補正方法】追加
【補正の内容】
【手続補正４】
【補正対象書類名】特許請求の範囲
【補正対象項目名】全文
【補正方法】変更
【補正の内容】
【特許請求の範囲】
【請求項１】
大気中の二酸化炭素を使用してドライアイスを作り、これを南北両極の海に浮かせ又は気温を低下させる必要のある場所に置きドライアイスの昇華熱で海水又は気温を低下させるシステム。